(57)【要約】【課題】利用者が宴会場で使用する所望の各場面の音楽情報を自由かつ迅速に選択決定することが出来ること。【解決手段】入力部、制御手段、記憶部及び表示部を備え、結婚披露宴、式典などの所定行事に適用される行事場面の音楽編集装置であって、入力部は、表示部に所定行事の各場面並びに各場面のイメージにそれぞれ適合する音楽情報を、行事に出席する利用者が自由に決定することが出来るように表示するタッチパネル式入力操作部であり、制御手段は、表示部に表示されている当該場面のイメージに合うように関係付けられている複数個の音楽情報の中から、利用者が前記入力操作部を介して選択決定した場合、利用者の音楽情報として記憶部に登録する行事場面の音楽編集装置。【選択図】  図４
2004326726.tif 000002
【特許請求の範囲】
【請求項１】
入力部、制御手段、記憶部及び表示部を備え、結婚披露宴、式典、パーティなどの所定行事に適用される行事場面の音楽編集装置であって、前記入力部は、前記表示部に所定行事の各場面並びに各場面のイメージにそれぞれ適合する音楽情報を、行事に出席する利用者が自由に決定することが出来るように表示するタッチパネル式の入力操作部であり、前記制御手段は、表示部に表示されている当該場面のイメージに合うように関係付けられている複数個の音楽情報の中から、利用者が前記入力操作部を介して選択決定した場合、利用者の音楽情報として記憶部に登録することを特徴とする行事場面の音楽編集装置。
【請求項２】
請求項１に於いて、利用者が所望の音楽情報を選択した時、制御手段は、その都度、選曲した音楽情報に関係する披露宴場面の画像プレビューを、プレビュー画面に表示しつつ、当該音楽を再生するシミュレーション機能を有していることを特徴とする行事場面の音楽編集装置。
【請求項３】
請求項１に於いて、制御手段は、利用者がタッチする入力操作部から行事の場面に関する信号を受け取った時、記憶部にアクセスして当該行事の場面名称の情報を取得し、行事の開始から終了するまで経時的に区分けされた各場面の名称項目を表示部に並列状態に表示する場面名称表示機能を有することを特徴とする行事場面の音楽編集装置。
【請求項４】
請求項１に於いて、制御手段は、利用者がタッチする入力操作部から特定の場面名称に関する信号を受け取ったとき、記憶部に記憶されている当該場面名称に関するイメージ画像情報及び該画像情報のイメージに適合する複数個の音楽情報を表示部に同時に表示する場面イメージ音楽情報表示機能を有することを特徴とする行事場面の音楽編集装置。
【請求項５】
請求項１に於いて、制御手段は、入力操作部からの信号に基づき、記憶部に登録した登録済みファイルにアクセスし、当該利用者の音楽情報を、情報記録媒体に格納する原盤制作機能を有することを特徴とする行事場面の音楽編集装置。
【請求項６】
請求項１に於いて、制御手段は、利用者が所望の音楽情報を選択した時、その都度、選曲した音楽情報の演奏条件を表示部に表示する演奏条件表示機能を有していることを特徴とする行事場面の音楽編集装置。
【請求項７】
請求項１に於いて、制御手段は、利用者が選択した音楽情報を対象にして、音声入力部から入出力制御部を介して制御手段に入ってきた音声効果を制御することができるように音声条件を付加する音声付加機能を有していることを特徴とする行事場面の音楽編集装置。
【請求項８】
請求項１に於いて、制御手段は、入力部から、当該場面に対してクロスフェードに関する演奏条件の信号を受け取った時、演奏条件付加機能を介して演奏効果を制御することを特徴とする行事場面の音楽編集装置。
【請求項９】
請求項１に於いて、制御手段は、利用者が入力部にタッチするお客様モードと、業者の担当者が入力部にタッチするスタッフモードとを相互に切り替え可能な二系統の制御プログラムを有することを特徴とする行事場面の音楽編集装置。
【請求項１０】
行事進行に関する利用者音楽情報を記憶部に格納する行事場面の音楽編集装置と、この音楽編集装置で制作された前記利用者音楽情報を、宴会場に設置された電子機器で読み取り再生する読み取り再生装置とから成る宴会場用音楽再生システムであって、前記行事場面の音楽編集装置の入力部は、表示部に所定行事の各場面並びに各場面のイメージにそれぞれ適合する音楽情報を、行事に出席する利用者が自由に決定することが出来るように表示するタッチパネル式の入力操作部であり、また前記行事場面の音楽編集装置の制御手段は、表示部に表示されている当該場面のイメージに合うように関係付けられている複数個の音楽情報の中から、利用者が前記入力操作部を介して選択決定した場合、利用者の音楽情報として記憶部に登録することを特徴とする宴会場用音楽再生システム。
【請求項１１】
請求項１０に於いて、制御手段は、入力操作部からの信号に基づき、記憶部に登録した登録済みファイルにアクセスし、当該利用者の音楽情報を、情報記録媒体に格納する原盤制作機能を有することを特徴とする宴会場用音楽再生システム。
【発明の詳細な説明】
【０００１】
【発明の属する技術分野】
本発明は、入力部、制御部、記憶部及び表示部を備え、結婚披露宴、式典、パーティなどの所定行事に適用される行事場面の音楽編集装置及び宴会場用音楽再生システムに関する。
【０００２】
【従来の技術】
先行技術文献の開示義務として、（１）特開平８−２４９８６５号公報、（２）特開２００１−１６７１６５号公報、（３）特開２００３−７６６７６号公報を記載する。
【０００３】
上記各公報に記載の発明は、音楽情報を再生する技術的思想ではあるが、入力部としてタッチパネルモニタを利用するものではない。また、表示部に表示されている当該場面のイメージに合うように関係付けられている複数個の音楽情報の中から、利用者がタッチパネル式の入力操作部を介して選択決定するものではない。さらに、利用者が所望の音楽情報を選択した時、制御手段は、その都度、選曲した音楽情報に関係する披露宴場面の画像プレビューを、プレビュー画面に表示しつつ、当該音楽を再生するシミュレーション機能を有するものではない。
【０００４】
特に前記（２）の先行技術文献は、通信網を利用して宴会場で再生するための音楽情報を作成するものであるから、編集業者まで「足を運ばなくても良い」という利点があるものの、データの管理（セキュリティ）の問題があると共に、通信網を上手に利用することができない人にとっては不向きであるという問題点がある。
【０００５】
【発明が解決しようとする課題】
本発明の第１の目的は、利用者が、特定の行事の場面で使用する音楽情報に関して、簡単、かつ、的確に所望の音楽情報を、各場面にそれぞれ相応しいように組み合わせることができること。すなわち、編集に関して熟練を要しないこと。
【０００６】
第２の目的は、利用者が入力操作部を介して各場面の音楽情報を選択決定した場合、記憶部のファイルに効率的に登録することができること。すなわち、編集作業の効率化を図ることができること。第３の目的は、利用者が所望の音楽情報の選択時、その都度、選曲した音楽情報に関係する披露宴場面の画像プレビューをみながら、当該場面に最も相応しい音楽情報を選択決定することができること。その他編集の幅を広めるために、選択決定した音楽情報に簡単に演奏条件を付加することができることである。
【０００７】
【課題を解決するための手段】
本発明の行事場面の音楽編集装置は、入力部、制御手段、記憶部及び表示部を備え、結婚披露宴、式典、パーティなどの所定行事に適用される行事場面の音楽編集装置であって、前記入力部は、前記表示部に所定行事の各場面並びに各場面のイメージにそれぞれ適合する音楽情報を、行事に出席する利用者が自由に決定することが出来るように表示するタッチパネル式の入力操作部であり、前記制御手段は、表示部に表示されている当該場面のイメージに合うように関係付けられている複数個の音楽情報の中から、利用者が前記入力操作部を介して選択決定した場合、利用者の音楽情報として記憶部に登録することを特徴とする。この場合、利用者が所望の音楽情報を選択した時、制御手段は、その都度、選曲した音楽情報に関係する披露宴場面の画像プレビューを、プレビュー画面に表示しつつ、当該音楽を再生するシミュレーション機能を有していることを特徴とする。
【０００８】
また、本発明の宴会場用音楽再生システムは、行事進行に関する利用者音楽情報を記憶部に格納する行事場面の音楽編集装置と、この音楽編集装置で制作された前記利用者音楽情報を、宴会場に設置された電子機器で読み取り再生する読み取り再生装置とから成る宴会場用音楽再生システムであって、前記行事場面の音楽編集装置の入力部は、表示部に所定行事の各場面並びに各場面のイメージにそれぞれ適合する音楽情報を、行事に出席する利用者が自由に決定することが出来るように表示するタッチパネル式の入力操作部であり、また前記行事場面の音楽編集装置の制御手段は、表示部に表示されている当該場面のイメージに合うように関係付けられている複数個の音楽情報の中から、利用者が前記入力操作部を介して選択決定した場合、利用者の音楽情報として記憶部に登録することを特徴とする。
【０００９】
【発明の実施の形態】
まず、図１を参照にして本発明の実施環境を説明する。１はサーバ、２は通信網、３は参加端末である。サーバ１は業者のコンピュータであり、本実施例では「行事場面の音楽編集装置」と定義されている。通信網２はインターネット２であり、サーバ１を支配（所有、占有）する業者と契約した参加団体（主に企業）が支配する参加端末３などを通信で接続する。
【００１０】
参加端末３は、例えば結婚式の披露宴会場などの宴会場に設置された参加団体のコンピュータであり、本実施例で利用者の情報記録媒体４のデータを読み取る「読み取り再生装置」と定義されている。
【００１１】
利用者５の情報記録媒体４は、前記行事場面の音楽編集装置１によって制作されるＣＤ、ＤＶＤなどの原盤である。情報記録媒体４は、例えば新郎新婦などの利用者５が、結婚式の当日、宴会場まで持参し、かつ、宴会場で電子機器の操作職務を担当しているオペレータに渡して「読み取り再生装置」に読み込んでもらっても良いし、または通信網２を介してサーバ１から参加端末３へと直接伝送しても良い。要は行事場面の音楽編集装置１によって制作された情報記録媒体の少なしくとも音楽情報は、宴会場にて読み取り、またはダウンロードにより再生され、例えば宴会場の各場面（シーン）にマッチングしてそれぞれタイムリーに流れれば良い。
【００１２】
したがって、図１は宴会場用音楽再生システムを示している。この宴会場用音楽再生システムＸは、図２乃至図４に示す行事進行に関する利用者音楽情報ｄを記憶部１２に格納する行事場面の音楽編集装置１と、この音楽編集装置１で制作された前記利用者音楽情報ｄを、宴会場に設置された電子機器で読み取り再生する読み取り再生装置３とから成る宴会場用音楽再生システムである。
【００１３】
そして、前記行事場面の音楽編集装置１の入力部１５は、表示部１４に所定行事の各場面並びに各場面のイメージにそれぞれ適合する音楽情報ｃを、行事に出席する利用者が自由に決定することが出来るように表示するタッチパネル式の入力操作部１５であり、また前記行事場面の音楽編集装置１の制御手段１１は、表示部１４に表示されている当該場面のイメージに合うように関係付けられている複数個の音楽情報ｃの中から、利用者５が前記入力操作部１５を介して選択決定した時に、当該場面に関連付けて選択決定した音楽情報に対して演奏条件を付加し、かつ、利用者の音楽情報ｄとして記憶部１２の登録済みファイル２５に登録する。
【００１４】
さらに、前記制御手段１１は、入力操作部１５からの信号に基づき、記憶部１２に登録した登録済みファイル２５にアクセスし、当該利用者音楽情報ｄを、ＣＤ、ＤＶＤなどの携帯型情報記録媒体４に格納する原盤制作機能４３を有する。
【００１５】
次に、各図を参照にして本発明の行事場面の音楽編集装置１の構成について具体的に説明する。図１から明らかなように、この行事場面の音楽編集装置１は、宴会場用音楽再生システムＸの主要部である。本発明の行事場面の音楽編集装置の一つの実施の形態として、結婚披露宴の各場面（シーン）の音楽を編集対象とした例を挙げて説明する。
【００１６】
図２乃至図４は本実施形態による音楽編集装置のハードウエア構成図である。符号１１は、結婚披露宴の開始から終了までの各場面の情報及び各場面に適合する音楽情報を中心にプログラムされた制御手段である。この制御手段１１は、システム全体を統括的に制御する。
【００１７】
制御手段１１には記憶部１２が接続されている。また、制御手段１１には、入出力制御部１３を介して表示部１４及び入力部１５が接続されている。制御手段１は、ＯＳなどの制御プログラム、結婚披露宴の各シーンのイメージに適合する音楽情報を組み合わせて登録（更新登録も含む）する編集手順を規定したプログラム、及び所要データ（映像情報、音楽情報、音声情報など）を格納するための内部メモリを有し、これらのプログラム等により、後述する各場面の演奏条件登録機能、各場面の名称表示機能、プレビュー映像或いは画像を含む各場面のイメージ音楽情報表示機能等の主な諸機能を実現し、また、ソート手段、アドレス更新手段等の他の諸機能も実現する。
【００１８】
記憶部１２は、ハードディスク、フレキシブルディスク、光ディスクなどのストレージ手段であり、利用者（顧客、例えば新郎新婦）テーブル２１、披露宴場面ファイル２２、披露宴場面ファイルに対応する（関連付けられた）音楽情報ファイル２３、及び利用者音楽情報に関連付けられたマスタファイル２４がそれぞれ格納されている。
【００１９】
マスタファイル２４は、全利用者がそれぞれ選択決定した顧客別案件データを時系列に蓄積するファイルで、主に利用者名、披露宴日時、場所、宴会時の所要時間等が記録されている。２５は各場面または最終的な全体場面用音楽情報の登録済みファイルで、この登録済みファイル２５は前記マスタファイル２４に関連付けられており、該登録済みファイル２５には、本実施例では利用者が進行内容の各場面に対してそれぞれ選択決定した音楽情報及び各音楽情報に付加した演奏条件が格納されている。
【００２０】
次に、本発明の特定要件を中心に説明する。なお、本発明の直接関係のない付随的事項（例えば情報記録媒体４の種類、読み取り再生装置３の諸機能など）については割愛する。
【００２１】
前述した入力部１５は、表示部１４に所定行事の各場面並びに各場面のイメージにそれぞれ適合する音楽情報を、行事に出席する利用者５が自由に決定することが出来るように表示するタッチパネル式の入力操作部である。換言すれば、入力部１５はタッチパネルモニタであるから、新郎新婦５は表示部１４に表れる一または複数の表示画面を見ながら、音楽情報に関するソートスイッチに指やペンでタッチし、音楽情報の選択、場面の切り替え、音楽情報の選択や決定などを実行することができる。
【００２２】
特に図示しないが、入力部１５は、入出力制御部１３を介して制御手段（ＣＰＵ）１１に接続するキーボード、マウス等のポイティングデバイスを含んでいる。
【００２３】
さて、本発明の制御手段１１は、いくつかの主たる機能（手段）を有している。それらの機能を説明する。図３及び図４で示すように、３１は利用者登録機能で、制御手段１１の利用者登録機能３１は、業者または利用者５がポイティングデバイスを利用して入力した氏名を利用者情報ａとして利用者テーブル２１に登録する。
【００２４】
３２は披露宴場面登録機能で、制御手段１１の披露宴場面登録機能３２は、参加団体がそれぞれ運用している結婚披露宴の進行パターン（具体的な進行内容）に関する一連の場面情報ｂを、披露宴場面ファイルに登録する。
【００２５】
３３は音楽情報登録機能で、制御手段１１の音楽情報登録機能３３は、利用者５が提供した録音済み磁気テープや商業用レコード、業者が所有する商業用レコード、通信網２を介して音楽配信サイトからサーバ１が受け取りかつダウンロードした音楽情報（曲データ）ｃなどが、例えば４００曲程度登録されている。利用者情報ａ、場面情報ｂ、及び音楽情報ｃは、逐一更新することができる。なお、利用者情報ａ、場面情報ｂ、及び音楽情報ｃの各データ構造及びそれらの相互関係については後述する。
【００２６】
３５は場面名称表示機能で、制御手段１１の場面名称表示機能３５は、利用者５がタッチする入力操作部１５から特定した行事の場面に関する信号を受け取った時、記憶部１２の披露宴場面ファイル２２にアクセスして当該行事に必要な全場面の名称の情報を取得し、行事の開始から終了するまで経時的に順番に区分けされた各場面の名称項目を表示部１４の「披露宴場面の選択画面」に並列状態（例えば格子状）に表示する。
【００２７】
３６は場面イメージ音楽情報表示機能で、制御手段１１の場面イメージ音楽情報表示機能３６は、利用者５がタッチする入力操作部１５から特定の場面名称に関する信号を受け取ったとき、記憶部１２に記憶されている音楽情報ファイル２３にアクセスして当該場面名称に関するイメージ画像情報及び該画像情報のイメージに適合する複数個の音楽情報を表示部に同時に表示する。
【００２８】
３７はシミュレーション機能で、制御手段１１のシミュレーション機能３７は、利用者５が所望の音楽情報を、入力操作部１５を介して選択した時、その都度、選曲した音楽情報または／及び当該場面の画像プレビューを表示しつつ、当該音楽を再生させる。
【００２９】
３８は演奏条件表示機能で、制御手段１１の演奏条件表示機能３８は、利用者５が所望の音楽情報を、入力部１５を介して選択した時、その都度、選曲した音楽情報の演奏条件を表示部１４に表示する。この演奏条件表示機能３８は、次に説明する演奏条件付加機能３９と関連しており、演奏条件付加機能３９は利用者５が選択した当該音楽情報に対して、フェードイン、フェードアウト、クロスフェード等に関する演奏条件を加味した場合には、これらの情報と共に、演奏時間、音量、演奏楽器、演奏者などを前記シミュレーション機能３７とは関係なく、または関連して表示部１４に表示する。
【００３０】
３９は演奏条件付加機能（例えばフェード設定機能）で、この演奏条件付加機能３９は、利用者５が選択した音楽情報を対象にして演奏条件を付加する。すなわち、演奏条件付加機能としてのフェード設定機能３９は、利用者５が選択した音楽情報に対して、利用者５がタッチする入力部１５から、曲の頭出しのタイミングでフェードイン、フェードアウト、現在の場面と次の場面で音楽が次第に重なり合うクロスフェード等に関する演奏条件の信号を受け取った時、演奏効果を制御することができるように演奏条件を付加する。本実施例では、特に現在進行形の場面にクロスフェードの条件を付加している。
【００３１】
４０は音声付加機能で、この音声付加機能４０は、利用者５が選択した音楽情報を対象にして、音声入力部４１から入出力制御部１３を介して制御手段１１に入ってきた音声効果を制御することができるように音声条件を付加する。
【００３２】
換言すれば、この音声付加機能４０は、制御手段１１に電気的に接続する音声入力装置（マイク）を用い、記憶部１１に登録した場面に関する利用者の音楽情報ｄに、新郎新婦のメッセージ、感謝などの音声を付加する場合に利用される。
【００３３】
４２は利用者音楽情報登録機能で、この利用者音楽情報登録機能４２は、利用者５が入力部１４を操作しながら、自己の披露宴の進行内容における各場面の音楽情報、演奏条件、音声情報を途中で決定した場合または最終的に決定した場合に、入力部１４の決定信号に基づき記憶部１２のマスタファイル２４に関連付けて登録済みファイル２５に利用者音楽情報ｄを登録する。
【００３４】
したがって、前記利用者音楽情報ｄは、表示部１４に表示されている各場面（シーン）のイメージに合うように関係付けられている複数個の音楽情報の中から、利用者５がタッチパネル式の入力操作部１５を介して逐一選択決定した時に、各場面に関連付けてそれぞれ選択決定した一部または一連の音楽情報に対して、利用者５が希望する演奏条件（各場面での曲の開始時間、演奏時間、音量、前後の場面でのクロスフェード、新郎新婦の音声、照明など）を記憶部１２の登録済みファイル２５に編集登録する。
【００３５】
４３は原盤制作機能で、この原盤制作機能４３は、前記登録済みファイル２５に登録されている利用者音楽情報ｄを第２出力部４５及び記録ドライブ４６を介して前述した情報記録媒体４に格納する。
【００３６】
なお、符号４７はタイマー回路で、このタイマー回路４７は、例えばフェード設定機能３９の利用時、演奏時間設定時などに時間をカウントする。また、符号４８はスピーカーで、このスピーカー４８は、例えばシミュレーション機能３７の利用時に当該選択した音楽情報等の音及び／または音声を放出する。
【００３７】
以上の構成により、個々の利用者５の携帯型情報記録媒体４がそれぞれ制作される訳であるが、本実施例では、前述したように、行事場面の音楽編集装置１の記憶部１２の登録済みファイル２５に当該行事の全場面（宴会の開始から終了までの一連の場面情報）が利用者音楽情報ｄに格納されているので、利用者５が希望する場合には、インターネット３を介してサーバ１から参加端末３へと直接伝送される。
【００３８】
次に利用者情報ａ、場面情報ｂ、及び音楽情報ｃの各内容及びそれらの関連性について説明する。まず図５は、本発明の実施の形態において用いる利用者（顧客）テーブル２１である。本実施の形態では、顧客名として、顧客Ａ、顧客Ｂ、顧客Ｃを設定する。また、各顧客に各々「Ａ」、「Ｂ」、「Ｃ」という顧客コード（要因コード）を割り当てると共に、各顧客コードを、図５で示すように、所定の記憶領域５０に顧客の名称と対応付けて格納しておく。そして、これをマスタファイル２４の要因情報（利用者情報）として使用する。
【００３９】
図６は披露宴場面ファイル２２の内容である。披露宴場面ファイル２２の内容は、地域、結婚式場、利用者の希望、予算等によって異なるのが普通一般であるから、宴会時の進行内容に関しては、予め幾つかの進行パターンを類型化し、複数個の披露宴場面ファイル２２が用意されている。図６で示す披露宴場面ファイル２２は、宴会時間３時間、お色直しが１回、新郎新婦の入場時は和服、再入場時は洋服の一例である。
【００４０】
しかして、符号５１は、宴会場コード、進行パターンコード、及び宴会時間などを格納する「識別領域１」である。この識別領域１の下方に、披露宴場面名称５２を設定し、該披露宴場面名称５２の右側に、進行場面の具体的内容が開始から終了まで、例えば迎賓、新郎新婦の入場から始まって、両家挨拶、新郎新婦の退場の場面までそれぞれ時系列に設定されている。また、各場面名称に入力部１５の「ポインタ１からポインタｎ」まで対応させてポインタ領域５３を設けている。
【００４１】
本実施例では、制御手段１１の場面名称表示機能２５は、利用者５が入力部１５の前記「ポインタ１からポインタｎ」にタッチした場合または／及び図７で示すように「披露宴場面の選択画面５２」が一画面に格子状に表れた場合に於いて、該画面の「ポインタ１からポインタｎ」にタッチした場合に、図９に示す「音楽選択画面５５」が表れる。
【００４２】
また、前記披露宴場面の選択画面５２は、図６で示す披露宴場面ファイル２２の上右欄に設定した顧客エリア２２ａに顧客コード及び氏名格納エリア２２ｂに当該顧客名をそれぞれ入れた場合においても、自動または手動（入力部１５のタッチを介して）で表示される。
【００４３】
本実施例では、このようにして一連の披露宴場面名称を全面的に表示する披露宴場面の選択画面５２が、複数個の整列したボツクスの中にそれぞれ格子状に表れる。
【００４４】
敷衍すると、制御手段１１の場面名称表示機能３５は、利用者５がタッチする入力操作部１５から行事の場面に関する信号を受け取った時、記憶部１２の識別領域１にアクセスして当該行事の全場面の披露宴場面名称の情報を格納しているファイルを取得し、行事の開始から終了するまで経時的に区分けされた各場面の名称（項目）を表示部１４に一画面または複数画面で並列状態に表示する。
【００４５】
図８は、音楽情報ファイル２３の内容である。この音楽情報ファイル２３には音楽情報ｃが格納されている。音楽情報ｃは、前述したように４００曲程度格納されているが、ここでは、説明の便宜上、音楽情報１から音楽情報ｎが格納されている。
【００４６】
音楽情報１から音楽情報ｎの各下層ファイルには、音楽波形情報ｃ１．音楽ファイル名ｃ２．音楽曲名ｃ３．音楽アーティスト名ｃ４．検索キーワードｃ５．検索キーワードｃｎがそれぞれ設定されている。利用者５は、例えば入力部１５を利用して前記音楽情報２の音楽波形情報ｃ１．音楽ファイル名ｃ２．音楽曲名ｃ３等を認識することができる。これらの音楽情報ｃは、制御手段１１の音楽情報登録機能３３を介して記憶部１２の音楽情報ファイル２３に逐一格納される。
【００４７】
ところで、前記音楽情報ファイル２３に格納されている音楽情報ｃは、本実施例では、披露宴場面ファイル２２に関連付けられ、かつ、利用者が所望する音楽情報を、入力部１５を介して選択決定する場合に利用される。
【００４８】
図９は、例えば披露宴場面ファイル２２を選択した場合に於いて、露宴場面名称ポインタ１０に利用者５がタッチした場合に表れる「音楽選択画面５５」である。この音楽選択画面５５は、場面イメージ音楽情報表示機能３６によって表示が実現される。
【００４９】
すなわち、制御手段１１の場面イメージ音楽情報表示機能３６は、利用者５がタッチする入力操作部１５から特定の場面名称（例えばポインタ１０）に関する信号を受け取ったとき、記憶部１２に記憶されている当該場面名称に関するイメージ画像情報及び該画像情報のイメージに適合する複数個の音楽情報（例えば音楽情報１から音楽情報ｎ）を表示部１４に同時に表示する。
【００５０】
そこで、利用者５は、音楽情報１を選択して視聴したり、または音楽情報２を選択して視聴したりすることができる。この時、本実施例ではシミュレーション機能３７を有しているので、制御手段１１は自動的に機能するシミュレーション機能３７に基づき、利用者５が所望の音楽情報を、入力部１５を介して選択するや否や、その都度、選曲した音楽情報に関係する披露宴場面の画像プレビュー（例えばキャンドルサービス）を、プレビュー画面に表示しつつ、当該音楽を再生する。音楽はフイルター、増幅器などを介してスピーカー４８から流れる。また、音楽の再生と当該場面のイメージ画像は、図示しない同期手段を介して再生される。
【００５１】
図９の画面に於いて、今仮に、利用者５が、キャンドルサービスの場面のイメージに音楽情報２が相応しいと判断し、決定或いはポインタ領域５５ｂにタッチした場合には、当該キャンドルサービスの場面と音楽情報２は互いに関連付けられ、一旦、利用者音楽情報登録機能４２を介して登録済みファイル２５に格納される。
【００５２】
以下、利用者５は、必要に応じて披露宴場面ファイル２２の披露宴場面名称５２を確認しながら、各ポインタ領域にタッチし（図６）、音楽選択画面５５が表れたら、複数個の音楽情報の中から、どれが自分にとって披露宴場面の画像プレビュー５５ａの映像に相応しいか否か一つ一つ視聴し、個別的に「決定５５ｂ」にタッチする。
【００５３】
図１０は、利用者５が当該披露宴の各場面に相応しい音楽情報を、取り敢えず決定した登録済みファイル２５の内容を示す一例である。この登録済みファイル２５には、当該利用者（例えばＡさん）の要因コードを記憶する要因コード領域２５ａが設定されている。この要因コード領域２５ａはマスタファイル２４にも設定されている。
【００５４】
したがって、利用者５はマスタファイル２４の要因コード領域または登録済みファイル２５のコード領域２５ａから当該利用者Ａの登録済みファイル２５を呼び出すことができる。また、登録済みファイル２５には、選択決定した音楽情報の記憶領域２５ｂ、各音楽情報の演奏時間設定領域２５ｃなどがそれぞれ設定されている。
【００５５】
ところで、本実施例では、図４で示すように、制御手段１１は演奏条件表示機能３８、演奏条件付加機能３９などを有するので、次にこれらの機能について説明する。制御手段１１の演奏条件表示機能３８は、前述したように、入力部１５から、曲の頭出しのタイミングでフェードイン、フェードアウト、クロスフェード等に関する演奏条件の信号を受け取った時、演奏効果を制御することができるように演奏条件を付加する。
【００５６】
そこで、利用者５は、図１０で示した登録済みファイル２５を呼び出し、または図９の音楽選択画面５５の段階で、演奏条件付加機能３９などを利用して前記演奏条件を付加することができる。
【００５７】
すなわち、図１１は演奏条件付加機能３９及び／または音声付加機能４０などを利用して当該場面に関連付けて選択決定した音楽情報に対して演奏条件を付加する場合のファイルの内容を示す。
【００５８】
制御手段１１は、表示部１４に表示されている当該場面（シーン）のイメージに合うように関係付けられている複数個の音楽情報の中から、利用者が前記入力操作部１５を介して既に選択決定した音楽情報１．音楽情報３．音楽情報１などに対してそれぞれフェードイン、フェードアウト、クロスフェード、音量、テンポ、音声条件、光条件（照明）、その他の演奏条件を付加した場合には、演奏条件表示機能２８で演奏条件を確認し、または確認しないで入力部１５にタッチしながら、前記演奏条件を適宜に加味することができる。
【００５９】
しかして、演奏条件付加機能３９、音声付加機能４０、図示しない光条件（照明）機能などによって演奏条件が付加された登録済みファイル２５或いは作成中のファイルは、記憶部１２に逐一更新登録される。
【００６０】
そして、最終的に利用者５が、満足する登録済みファイル２５が出来上がったと思料した場合に於いて、本実施例の制御手段１１は、原盤制作機能４３を有するので、利用者５は、入力部１４に表示されている原盤制作のマーク或いはアイコン等の印にタッチし、当該利用者の音楽情報ｄを、情報記録媒体４に格納する。
【００６１】
次に図１２参照にし、行事場面の音楽編集装置１の主なフローチャートを説明する。図１２は顧客テーブル、披露宴場面ファイル、披露宴選択画面、及び音楽選択画面の相互関係を示すフローチャートである。
【００６２】
はじめに、サーバ（業者の担当者）が、顧客Ａを決定する（Ｓ１０１）。顧客Ａが決定したならば、音楽編集装置１の利用者テーブル２１の記憶領域５０に顧客Ａのコードを格納する（Ｓ１０２．図５参照）。この設定方法は、業者の担当者がポインティングデバイスを利用して行う。そして、業者の担当者は、その場で顧客Ａの希望や条件を聞いた後、新規ファイルとして、披露宴場面ファイル２２を呼び出し、その顧客エリア２２ａ、氏名エリア２２ｂにそれぞれ顧客Ａのコードと氏名を格納する（Ｓ１０３．図６参照）。
【００６３】
次に業者の担当者または利用者５は、入力部にタッチ（または自動）し、披露宴選択画面５２を表示部１４呼び出す（Ｓ１０４．図７参照）。そこで、顧客Ａが、例えばポインタ１０にタッチする（Ｓ１０５）。
【００６４】
顧客Ａがポインタ１０にタッチすると、音楽選択画面５５が表示部１４に表れる（Ｓ１０６．図９参照）。顧客Ａは、ここで音楽選択画面５５を見ながら、当該場面に一番相応しい音楽はどれかということで、色々とミキシングを試みるが、例えば音楽情報２にタッチする（Ｓ１０７）。この時、画像プレブュー画面５５ａに映像されるキャンドルサービスの画像を見ながら、音楽２を聴く（Ｓ１０８）。
【００６５】
その結果、顧客Ａは当該場面のイメージに音楽２が一番相応しいと判断したので、決定にタッチする（Ｓ１０９）。顧客Ａが「決定」にタッチすると、登録済みファイル２５のキャンドルサービスの場面に関連付けられて音楽情報格納領域２５ｂに音楽情報２が格納される（Ｓ１１０．図１０参照）。
【００６６】
以下、顧客Ａは上記の手順を繰り返し、所望する場面に関係する音楽情報格納領域２５ｂに音楽情報をそれぞれ選択決定して格納する。そして、顧客Ａは全場面の音楽情報格納領域２５ｂを確認した後、最終決定（Ｓ１１１）にタッチする。そうすると、利用者音楽情報ｄは、記憶部１２の登録済みファイル１５に格納される。
【００６７】
【実施例】
本実施例の制御手段は、利用者がタッチする入力操作部から行事の場面に関する信号を受け取った時、記憶部にアクセスして当該行事の場面名称の情報を取得し、行事の開始から終了するまで経時的に区分けされた各場面の名称項目を表示部に格子状に整列表示する場面名称表示機能を有するが、前記表示形式は、矩形形状のほかに、丸形状、ハート形形状にすることもできる。また、アイコン形式で各場面を表示することもできる。
【００６８】
また、本実施例の制御手段の機能については、主に利用者５を中心にして説明したが、制御手段１１に接続する記憶部１２Ａに、図１３で示すように、利用者が主にタッチする「お客様モード（利用者モード）１５ａ」と、業者の担当者がタッチする「スタッフモード１５ｂ」を、相互に切り替え可能な二系統の制御プログラム５８を設けてもよい。
【００６９】
上記のように記憶部１２Ａに二系統の制御プログラム５８を付加した実施例の場合には、業者の担当者が、入力部１５としてのタッチパネルモニタに表れているお客様モード（利用者モード）１５ａを、必要に応じてスタッフモード１５ｂに画面を切り替え、またはスタッフモード１５ｂをお客様モード（利用者モード）１５ａへと切り替え、利用者にアドバイス、サポート等をしながら、より効率的に編集作業を進めることができる。
【００７０】
【発明の効果】
以上の説明から明らかなように、本発明にあっては、次に列挙するような効果がある。
（１）利用者は、タッチパネル式入力操作部を操作し、宴会場で使用する所望の各場面の音楽情報を、自由に選択決定することが出来る。特に入力部がタッチパネルモニタなので、簡単、かつ、的確に所望の音楽情報を、各場面にそれぞれ組み合わせ、その場で視聴することができる。熟練を要しない。
（２）制御手段は、表示部に表示されている当該場面のイメージに合うように関係付けられている複数個の音楽情報の中から、利用者が前記入力操作部を介して選択決定した場合、利用者の音楽情報として記憶部に登録するので、効率的に各場面の音楽情報をファイルに登録することができる。したがって、編集作業の効率化を図ることができる。
（３）請求項２に記載の発明は、利用者が所望の音楽情報を選択した時、制御手段は、その都度、選曲した音楽情報に関係する披露宴場面の画像プレビューを、プレビュー画面に表示しつつ、当該音楽を再生するシミュレーション機能を有しているので、当該場面に最も相応しい音楽情報を得ることができる。
（４）請求項３に記載の発明は、行事の開始から終了するまで経時的に区分けされた各場面の名称項目を表示部に並列状態に表示する場面名称表示機能を有することから、場面の進行内容を人目で理解することができると共に、所望する場面のみをすばやく選択することができる。
（５）請求項４に記載の発明は、当該場面名称に関するイメージ画像情報及び該画像情報のイメージに適合する複数個の音楽情報を表示部に同時に表示する場面イメージ音楽情報表示機能を有するので、場面に相応しい音楽情報に関する検索時間の節約ができる。
（６）請求項５に記載の発明は、当該利用者の音楽情報を、情報記録媒体に格納する制作機能を有するので、業者または利用者は、を管理することができると共に、利用者は「原盤」を自己の支配下に占有し、内容を自由に確認することができる。そして、結婚式の当日会場に持参し、宴会場用音楽再生システムの情報記録媒体として利用することができる。
（７）請求項６乃至請求項８に記載の発明は、利用者が選択した音楽情報を対象にして、音声条件の付加し、クロスフェードに関する演奏条件の付加など編集の幅を広めることができる、また、請求項９に記載の発明は、業者担当者の労力を軽減することができる。
（８）請求項１０に記載の発明は、本発明の行事場面の音楽編集装置で得られた利用者音楽情報を、例えば宴会場の電子機器に伝送することができるので、利用者が原盤を宴会場まで持参する必要がないと共に、当日、利用者音楽情報を宴会場で再生することができる。
（９）その他、宴会場で各場面での音楽情報を準備する必要がない、編集作業に、労力や熟練を要しないなどの効果がある。
【図面の簡単な説明】
図１は、本発明の主要部をそのまま用いた宴会場用音楽再生システムの概略説明図。図２乃至図１２は、本発明の行事場面の音楽編集装置の一例を示す各説明図。
【図１】宴会場用音楽再生システムの概略説明図。
【図２】行事場面の音楽編集装置のハードウエア構成図。
【図３】図２の記憶部の構成を示す説明図。
【図４】図２の制御手段の主な諸機能を示す説明図。
【図５】利用者テーブルの内容説明図。
【図６】披露宴場面ファイルの説明図。
【図７】披露宴場面の選択画面の一例を示す説明図。
【図８】音楽情報ファイルの内容説明図。
【図９】音楽選択画面の一例を示す説明図。
【図１０】登録済みファイルの内容説明図。
【図１１】演奏条件を付加するファイルの内容説明図。
【図１２】顧客テーブル、披露宴場面ファイル、披露宴選択画面、及び音楽選択画面の相互関係を示すフローチャート。
【図１３】記憶部１２Ａに二系統の制御プログラム５８を付加した実施例のハードウエア構成図。
【符号の説明】
Ｘ…宴会場用音楽再生システム、１…サーバ（行事場面の音楽編集装置）、２…通信網、３…参加端末（読み取り再生装置）、４…情報記録媒体、５…利用者、１１…制御手段、１２…記憶部、１３…入出力制御部、１４…表示部、１５…入力部、２１…利用者（顧客）テーブル、２２…披露宴場面ファイル、２３…音楽情報ファイル、２４…マスタファイル、２５…登録済みファイル、３１…利用者登録機能、３２…披露宴場面登録機能、３３…音楽情報登録機能、３５…場面名称表示機能、３６…場面イメージ音楽情報表示機能、３７…シミュレーション機能、３８…演奏条件表示機能、３９…演奏条件付加機能、４０…音声付加機能、４２…利用者音楽情報登録機能、４３…原盤制作機能、４５…第２出力部、４６…記録ドライブ、４７…タイマー回路、４８…タイマー回路、５８…二系統の制御プログラム、ａ…音楽情報、ｂ…場面情報、ｃ…音楽情報、ｄ…利用者音楽情報。
【図１】
2004326726.tif 000003
【図２】
2004326726.tif 000004
【図３】
2004326726.tif 000005
【図４】
2004326726.tif 000006
【図５】
2004326726.tif 000007
【図６】
2004326726.tif 000008
【図７】
2004326726.tif 000009
【図８】
2004326726.tif 000010
【図９】
2004326726.tif 000011
【図１０】
2004326726.tif 000012
【図１１】
2004326726.tif 000013
【図１２】
2004326726.tif 000014
【図１３】
2004326726.tif 000015